(57)【要約】【課題】  操作スイッチ及び入出力端子を全て装置本体の側面部（正面部並びに背面部以外）に配置した携帯型音声記録再生装置を提供することにある。【解決手段】  記録媒体に情報を記録し、または前記記録媒体に記録された前記情報を再生する情報記録再生装置において、外部ＵＳＢデバイスと接続するためのＵＳＢコネクタ１２，２９と、ＵＳＢコネクタ１２，２９に外部ＵＳＢデバイスが接続された場合に、外部ＵＳＢデバイスとの前記情報の送受信を制御するホストコントローラ１１，２３とを具備し、情報記録再生装置と外部ＵＳＢデバイスとの間で前記情報を送受信可能とすることを特徴とする。【選択図】  図１
2005190101.tif 000002
【特許請求の範囲】
【請求項１】
記録媒体に情報を記録し、または前記記録媒体に記録された前記情報を再生する情報記録再生装置において、
外部ＵＳＢデバイスと接続するためのＵＳＢコネクタと、
前記ＵＳＢコネクタに前記外部ＵＳＢデバイスが接続された場合に、前記外部ＵＳＢデバイスとの前記情報の送受信を制御するホストコントローラとを具備し、
前記情報記録再生装置と前記外部ＵＳＢデバイスとの間で前記情報を送受信可能とすることを特徴とする情報記録再生装置。
【請求項２】
前記ＵＳＢコネクタと前記外部ＵＳＢデバイスとが接続された場合、前記ＵＳＢコネクタに流れる電流値を制御する電流制御回路を具備することを特徴とする請求項１記載の情報記録再生装置。
【請求項３】
記録媒体に情報を記録し、または前記記録媒体に記録された前記情報を再生する情報記録再生装置に接続されるクレードルにおいて、
前記情報記録再生装置と接続するためのコネクタと、
外部ＵＳＢデバイスと接続するためのＵＳＢコネクタと、
前記ＵＳＢコネクタに前記外部ＵＳＢデバイスが接続された場合に、前記外部ＵＳＢデバイスとの前記情報の送受信を制御するホストコントローラとを具備し、
前記外部ＵＳＢデバイスからの前記情報を前記コネクタを介して前記情報記録再生装置に送信し、又は前記情報記録再生装置からの前記情報を前記ＵＳＢコネクタを介して前記外部ＵＳＢデバイスに送信することを特徴とするクレードル。
【請求項４】
記録媒体に情報を記録し、または前記記録媒体に記録された前記情報を再生する情報記録再生装置に接続されるクレードルにおいて、
前記情報記録再生装置と接続するためのコネクタと、
外部ＵＳＢデバイスと接続するためのＵＳＢコネクタと、
前記ＵＳＢコネクタに前記外部ＵＳＢデバイスが接続された場合に、前記外部ＵＳＢデバイスとの前記情報の送受信を制御するホストコントローラと、
前記ＵＳＢコネクタと前記ホストコントローラとそれぞれ接続され、複数の前記ＵＳＢコネクタと接続可能なハブとを具備し、
前記外部ＵＳＢデバイスからの前記情報を前記コネクタを介して前記情報記録再生装置に送信し、又は前記情報記録再生装置からの前記情報を前記ＵＳＢコネクタを介して前記外部ＵＳＢデバイスに送信することを特徴とするクレードル。
【請求項５】
前記ＵＳＢコネクタと前記外部ＵＳＢデバイスとが接続された場合、前記ＵＳＢコネクタに流れる電流値を制御する電流制御回路を具備することを特徴とする請求項３乃至４のいずれかに記載のクレードル。
【発明の詳細な説明】
【技術分野】
【０００１】
この発明は、音楽プレーヤやＤＶＤプレーヤ等の情報記録再生装置に関し、特に、情報記録再生装置にＵＳＢ（Universal Serial Bus）ホスト機能を持たせた情報記録再生装置及びこの装置に接続されたクレードルに関する。
【背景技術】
【０００２】
ＵＳＢは、パーソナルコンピュータ（以下、ＰＣと称す）に周辺機器を容易に接続する手段として、近年注目されている。ＵＳＢを用いた周辺機器の接続は、スター状（ツリー状）になっており、ＵＳＢホスト（通常はＰＣ）を中心として、ハブと呼ばれる中継器を経由して、マウス、プリンタ、スキャナ、モデム等の多数の周辺機器を容易に接続できる。
【０００３】
ＵＳＢを接続インタフェースとして有するマウス、プリンタ、スキャナ等の電子機器（以下、ＵＳＢデバイスと称す）は、プラグアンドプレイ（ＰｎＰ）が容易であり、ＵＳＢホストの電源がオンのままＵＳＢデバイスの着脱ができ、かつ、接続したときには自動的にそのＵＳＢデバイスの制御ソフトウエア（ドライバ、ユーティリティなどのプログラムで、以下、簡単に制御ソフトと称す）が選択されて、当該ＵＳＢデバイスがすぐ使えるようになっている。
【０００４】
ＵＳＢインタフェースを有する従来の電子機器は、ＵＳＢホスト（通常はＰＣ）とＵＳＢデバイス（例えば、ＰＣの周辺機器）に分かれており、ＵＳＢホスト機能を有するのは、ＰＣのみである（例えば、特許文献１）。
【特許文献１】特開２００１−３３７９１１号公報
【発明の開示】
【発明が解決しようとする課題】
【０００５】
このように、ＵＳＢインタフェースを有する従来の電子機器では、ＵＳＢホスト機能を有するのはＰＣだけであり、通信は、ＵＳＢホストとしてのＰＣとＵＳＢデバイスとの間で行われる。ＵＳＢデバイスとＵＳＢデバイスとは直接通信することはできず、デバイス間でデータのやりとりを行うときは、必ず、外部のＵＳＢホストとしてのＰＣを一度経由する必要があった。
【０００６】
従って、ＵＳＢホストとなるＰＣがない場合、ＵＳＢデバイス間で通信を行うことができないという問題点があった。例えば、ＵＳＢデバイスであるＨＤＤプレーヤから、ＵＳＢデバイスであるＵＳＢスピーカに音楽データ（曲）を送りたい場合、ＵＳＢホスト機能を有するＰＣがないとＵＳＢスピーカから音楽を出力することができない。
【０００７】
以上の問題点は、何もＵＳＢに限らず、ただ１つのホストとしての電子機器が他の複数のデバイスとしての電子機器を制御して、これら複数の電子機器間で通信を行わしめる他の方式においても同様である。
【０００８】
そこで、本発明は上記の問題を解決するために成されたものであり、ＵＳＢデバイスにＵＳＢホスト機能を持たせることで、ＵＳＢホストとしてのＰＣを経由せずにＵＳＢデバイス間の通信を可能にした情報記録再生装置及びこの装置に接続されたクレードルを提供することにある。
【課題を解決するための手段】
【０００９】
上記した課題を解決するために、この発明は、記録媒体に情報を記録し、または前記記録媒体に記録された前記情報を再生する情報記録再生装置において、外部ＵＳＢデバイスと接続するためのＵＳＢコネクタと、前記ＵＳＢコネクタに前記外部ＵＳＢデバイスが接続された場合に、前記外部ＵＳＢデバイスとの前記情報の送受信を制御するホストコントローラとを具備し、前記情報記録再生装置と前記外部ＵＳＢデバイスとの間で前記情報を送受信可能とすることを特徴とする。
【発明の効果】
【００１０】
この発明によれば、情報記録再生装置にＵＳＢホスト機能を持たせることで、ＰＣを介さずに様々なＵＳＢデバイスと直接接続することができる。
【００１１】
また、ＵＳＢホスト機能をクレードル側に具備させたことで、本体側（ここでは、ＨＤＤプレーヤ）から電流制御回路等を取り除くことができ、本体側を小型軽量化や省電力化することができる。
【発明を実施するための最良の形態】
【００１２】
以下、この発明の実施例について、図面を参照しながら詳細に説明する。
【００１３】
（第１の実施形態）
図１は、この発明の第１の実施形態に係る情報記録再生装置を説明するためのブロック図である。
【００１４】
図１に示すように、情報記録再生装置１００には、操作スイッチ群１、ＣＰＵ２、ＬＣＤ表示部３、ＬＣＤ表示制御部４、Ｄ／Ａ変換回路５、ヘッドホンジャック６、メモリ７、ＨＤＤ８、バスＳＷ（スイッチ）９、ＵＳＢシリーズＢコネクタ１０、ＵＳＢシリーズＡコネクタ１２、ホストコントローラ１１、電源制御回路１３、ＡＣアダプタ１４、バッテリ１５とから構成される。
【００１５】
操作スイッチ群１は、ＨＤＤ８に記録した情報（音楽データやファイル等）を再生したり、再生したい情報を探したりするための再生・サーチスイッチ１２１と、操作を停止するための停止スイッチ１３１と、各種モード（再生モード、停止モード等）の設定をするためのメニュースイッチ１４１と、音量のＵＰ／ＤＯＷＮ操作を行うための音量スイッチ１５１と、ＨＤＤ８に記録した情報を消去するための消去スイッチ１６１と、現状の状態を保持するためのホールドスイッチ１７１とから構成される。
【００１６】
ＣＰＵ２は、デコード部を備え、例えばＨＤＤ８に格納された情報をデコードしたり、情報記録再生装置１００全体を制御するためのものである。表示制御部４は各種情報を表示するためのＬＣＤ表示部３を制御するコントローラである。Ｄ／Ａ変換回路５は、ＣＰＵ２でデコードされた音声情報をデジタル・アナログ変換する。ヘッドホンジャック６は、ヘッドホンと接続するためのコネクタであってＤ／Ａ変換回路５で変換されたアナログ信号を出力する。メモリ７は、各種情報を保存する書き換え可能なメモリである。バスＳＷ９は、再生時にはＣＰＵ２とＨＤＤ８とを接続させ、また記録時はＵＳＢシリーズＢコネクタ１０とＨＤＤ８とを接続させる。よって、例えばＵＳＢシリーズＢコネクタ１０を介してＰＣと接続されている状態で、ＰＣからの情報をＨＤＤ８に記録する場合はＣＰＵ２は関与せずにＨＤＤ８に情報が記録される。ＵＳＢシリーズＡコネクタ１２はＵＳＢデバイスと接続するためのコネクタである。ホストコントローラ１１は、ＵＳＢ信号を処理するものである。具体的には、ＵＳＢシリーズＡコネクタ１０を介して接続されたＵＳＢデバイス側を制御するコマンドを送受信したり、ＵＳＢデバイス側の動作を監視したりする。電源制御回路１３は、ＡＣアダプタ１４とバッテリ１５と電気的に接続されており、
電圧５Ｖを電流制御回路１６へ供給するとともに、その他回路にはその回路に必要な電圧、例えば１．８Ｖや３．３Ｖ等を供給する。電流制御回路１６は、ＵＳＢシリーズＡコネクタ１０に接続されたＵＳＢデバイスへは通常５００ｍＡまでしか流せないので、５００ｍＡを超えたかどうかをホストコントローラ１１に伝えるものである。
【００１７】
図２は、図１の情報記録再生装置とＵＳＢスピーカとがＵＳＢコネクタを介して接続された状態を示す図である。
【００１８】
情報記録再生装置１００は、ＵＳＢシリーズＡコネクタ１０を介してＵＳＢスピーカ５１と接続されると、ホストコントローラ１１はＵＳＢスピーカ５１が接続されたことを認識し、制御コマンドを送信してＵＳＢスピーカ５１を制御する。そして、例えばユーザにより操作スイッチ群１から再生／サーチスイッチ１２１が押されると、ＣＰＵ２はＨＤＤ８に記録された情報（ここでは予め音楽情報が記録されているとする）を読み出して、一端メモリ７に格納し順次デコードする。デコードが終了すると、ＣＰＵ２はホストコントローラ１１に音楽情報を供給し、ホストコントローラ１１は接続されたＵＳＢスピーカ５１に音楽情報を供給することで、ＵＳＢスピーカ５１により音楽情報が出力されるようになっている。
【００１９】
なお、図１に示すような情報記録再生装置１００がＵＳＢスピーカ５１と接続された場合、ＨＤＤ８に記録された音楽情報をＵＳＢスピーカ５１に供給するとともに、Ｄ／Ａ変換回路５、ヘッドホンジャック６を介してヘッドホンにも並行して音楽情報を供給することも可能である。また、ＵＳＢスピーカ等のＵＳＢデバイスが接続された場合、Ｄ／Ａ変換回路５側には音楽情報等の情報を供給しないようにＣＰＵ２が制御するようにしてもよい。
【００２０】
以上のように、本発明ではホストコントローラ１１を情報記録再生装置１００内に設けることで、電流制御回路１６で電流を制御して従来のようにＰＣを介さずにＵＳＢスピーカ５１のようなＵＳＢデバイスと直接接続することが可能となる。
【００２１】
（第２の実施形態）
図３は、この発明の第２の実施形態に係り、情報記録再生装置とクレードルが接続された状態を示すブロック図である。図４乃至図５は、クレードル内部の回路構成を示すブロック図である。
【００２２】
図３に示す情報記録再生装置２０１は、図１に示す情報記録再生装置１００からホストコントローラ１１と電流制御回路１６が取り除かれ、さらにＵＳＢシリーズＡコネクタ１０の代わりに通常のコネクタ２２が具備した構成となっている。なお、同一個所には同一の符号を付してあり、その部分の説明は省略する。
【００２３】
情報記録再生装置２０１は、コネクタ２２を介してクレードル２０と接続されるようになっているが、ホストコントローラを具備していないため、この装置本体のままではＵＳＢデバイスと直接接続することはできない。そこで、ここではクレードル２０側にＵＳＢホスト回路２１及びＵＳＢコネクタ２９を設け、情報記録再生装置２０１がクレードル２０と接続されることでクレードル２０とＵＳＢデバイスと直接接続できるようにしている。
【００２４】
図４に示すように、クレードル２０内にあるＵＳＢホスト回路２１は、ホストコントローラ２３、電源制御回路２５、ＡＣアダプタ２６、電流制御回路２７から構成されている。ホストコントローラ２３は、上述したようにＵＳＢ信号を処理したり、ＵＳＢコネクタ１９を介して接続されたＵＳＢデバイス側を制御するコマンドを送受信したり、ＵＳＢデ
バイス側の動作を監視したりする。電源制御回路２５は、ＡＣアダプタ２６と接続されており、電圧５Ｖを電流制御回路２７へ供給するとともに、その他回路にはその回路に必要な電圧を供給する。電流制御回路２７は、ホストコントローラ２３とＵＳＢコネクタ２９と電気的に接続され、ＵＳＢコネクタ２９に接続されたＵＳＢデバイスの電流が５００ｍＡを超えたかどうかをホストコントローラ１１に伝える。
【００２５】
したがって、ホストコントローラ１１をクレードル２０側に設けたことで、クレードル２０とＵＳＢデバイスとの間で直接接続することができる。さらに情報記録再生装置２０１側にはホストコントローラ２３や電流制御回路２７を取り除くことができるため、装置本体側をさらに小型軽量化することができる。
【００２６】
また、図５に示すようにクレードル２０内にあるＵＳＢホスト回路２１は、図４に示したＵＳＢホスト回路２１の構成にハブ２４を設けて、ＵＳＢコネクタ２９を複数設けた構成となっている。具体的には、情報記録再生装置２０１と接続可能な（通常の）コネクタ２２がホストコントローラ２３と接続され、このホストコントローラ２３はハブ２４と接続される。ハブ２４は複数のＵＳＢコネクタ２９（図では２つのＵＳＢコネクタ）と接続されるとともに、それぞれ電流制御回路２７とも接続されている。電流制御回路２７はＡＣアダプタ２６と接続された電源制御回路２５と接続され、電圧５Ｖが供給されるようになっている。また電流制御回路２７はＵＳＢコネクタ２９に流れる電流値をホストコントローラ２３に通知する。電源制御回路２５は電流制御回路２７に電圧５Ｖを供給するとともに情報記録再生装置２０１の各回路に電圧を供給するようになっている。
【００２７】
このような構成にすると、ホストコントローラ１１をクレードル２０側に設け、さらにハブ２４と接続させることで複数のＵＳＢコネクタ２９を設けることができることから、複数のＵＳＢデバイスと直接接続することができるというメリットがある。またホストコントローラ１１や電流制御回路２７を装置本体２０１から取り除くことができ、装置本体２０１を小型軽量化することもできる。
【００２８】
次に、図３乃至図５で示した情報記録再生装置２０１に接続されたクレードル２０とＵＳＢデバイスとの具体的な使用例を以下に示す。
【００２９】
図６は、図４乃至図５に示したクレードルとＵＳＢスピーカとが接続された例を示す図である。クレードル２０側にあるＵＳＢコネクタ２９とＵＳＢケーブルを介してＵＳＢスピーカが接続されると、情報記録再生装置２０１側からの情報をクレードル２０にあるホストコントローラ２３を介してＵＳＢスピーカ５１に情報が出力され、ＰＣ等を用いなくてもＵＳＢデバイス間でデータの送受信ができる。
【００３０】
図７は、図４に示したクレードルとハブを介して各種ＵＳＢデバイスとが接続された例を示す図である。図４に示したクレードル２０には図５にあるハブ２４がないので、各種ＵＳＢデバイス（ディスプレイ、キーボード、マウス）をハブ４５と接続させてクレードル２０と接続する。このように、ハブ４５を使用することで（図４の）クレードル２０にハブを設けなくても複数のＵＳＢデバイスと接続することができる。
【００３１】
図８は、図４乃至図５に示したクレードルとＵＳＢの無線ＬＡＮを介してＰＣとが接続された例を示す図である。このような場合、情報記録再生装置２０１にＵＳＢの無線ＬＡＮを接続することでＰＣから見て情報記録再生装置をＬＡＮ上にあるストレージとして使用できる。
【００３２】
図９は、図８に示したＰＣに暗号化アプリケーションが保存されている例を示す図である。このような場合、情報記録再生装置２０１側に暗号化された音楽データ等をＰＣから
無線ＬＡＮを介し送ることができる。
【００３３】
図１０は、図８に示したＰＣに暗号解読アプリケーションが保存されている例を示す図である。このような場合、情報記録再生装置２０１のＨＤＤ８に記録してある暗号化された音楽データを無線ＬＡＮを介してＰＣを介して再生することができる。
【００３４】
図１１は、図４乃至図５に示したクレードルとＵＳＢ赤外線通信機器とが接続された例を示す図である。このようにＵＳＢ赤外線通信機器を用いることでＵＳＢ無線ＬＡＮを使用しなくても同様のことができる。この場合、赤外線リモコンで操作できる。
【００３５】
図１２は、図４乃至図５に示したクレードルとＢｌｕｅｔｏｏｔｈとが接続された例を示す図である。このようにＢｌｅｕｔｏｏｔｈを用いることでＵＳＢ無線ＬＡＮを使用しなくても同様のことができる。
【００３６】
図１３は、図４乃至図５に示したクレードルとライン入力を介してＣＤプレーヤとが接続された例を示す図である。このように、ライン入力を接続することで例えばＣＤプレーヤ等からダビングすることができる。
【００３７】
図１４は、図４乃至図５に示したクレードルとライン出力を介してＭＤレコーダとが接続された例を示す図である。このように、ライン出力を接続することで例えばＭＤレコーダ等へのダビングやステレオセットに接続し音楽をならすことができる。なお、図１３乃至図１４のライン入力、ライン出力は光又はアナログであってもよい。
【００３８】
図１５は、図４乃至図５に示したクレードルとＣＤドライブとが接続された例を示す図である。このように、ＣＤドライブを接続することでリッピングすることができる。
【００３９】
図１６は、図４乃至図５に示したクレードルとデジタルカメラとが接続された例を示す図である。このように、デジタルカメラと接続することで撮影データを保存することができる。
【００４０】
図１７は、クレードルにＵＳＢ  ＯＴＧ（ON THE GO）機能を持たせ、ＵＳＢデバイスと接続された例を示す図である。このように、クレードル側にＵＳＢ  ＯＴＧ機能を持たせることで、ホストコントローラを持たせた場合と同様のことを行うことができる。
【００４１】
なお、図示しないが、図８乃至図１０に示した無線ＬＡＮを有線ＬＡＮに変えても同様に行うことができる。さらに、本発明では情報記録再生装置にＵＳＢホスト機能を設けることを例に説明したが、ＰＣやＰＤＡのような情報処理装置ではない従来のＵＳＢデバイス機器として扱われていた装置に当てはめることができる。
【００４２】
このような構成により、情報記録再生装置にＵＳＢホスト機能を持たせることで、ＰＣを介さずに様々なＵＳＢデバイスと直接接続することができる。また、ＵＳＢホスト機能をクレードル側に具備させたことで、本体側（ここでは、ＨＤＤプレーヤ）から電流制御回路等を取り除くことができ、本体側を小型軽量化や省電力化することができる。
【００４３】
なお、本発明は、上記実施形態に限定されるものではなく、実施段階では、その要旨を逸脱しない範囲で種々に変形することが可能である。
【図面の簡単な説明】
【００４４】
【図１】この発明の第１の実施形態に係る情報記録再生装置を説明するためのブロック図。
【図２】図１の情報記録再生装置とＵＳＢスピーカとがＵＳＢコネクタを介して接続された状態を示す図。
【図３】この発明の第２の実施形態に係り、情報記録再生装置とクレードルが接続された状態を示すブロック図。
【図４】クレードル内部の回路構成を示すブロック図。
【図５】クレードル内部の回路構成を示すブロック図。
【図６】図４乃至図５に示したクレードルとＵＳＢスピーカとが接続された例を示す図。
【図７】図４に示したクレードルとハブを介して各種ＵＳＢデバイスとが接続された例を示す図。
【図８】図４乃至図５に示したクレードルとＵＳＢの無線ＬＡＮを介してＰＣとが接続された例を示す図。
【図９】図８に示したＰＣに暗号化アプリケーションが保存されている例を示す図。
【図１０】図８に示したＰＣに暗号解読アプリケーションが保存されている例を示す図。
【図１１】図４乃至図５に示したクレードルとＵＳＢ赤外線通信機器とが接続された例を示す図。
【図１２】図４乃至図５に示したクレードルとＢｌｕｅｔｏｏｔｈとが接続された例を示す図。
【図１３】図４乃至図５に示したクレードルとライン入力を介してＣＤプレーヤとが接続された例を示す図。
【図１４】図４乃至図５に示したクレードルとライン出力を介してＭＤレコーダとが接続された例を示す図。
【図１５】図４乃至図５に示したクレードルとＣＤドライブとが接続された例を示す図。
【図１６】図４乃至図５に示したクレードルとデジタルカメラとが接続された例を示す図。
【図１７】クレードルにＵＳＢ  ＯＴＧ（ON THE GO）機能を持たせ、ＵＳＢデバイスと接続された例を示す図。
【符号の説明】
【００４５】
１  操作スイッチ群
２  ＣＰＵ
３  ＬＣＤ表示部
４  ＬＣＤ表示制御部
５  Ｄ／Ａ変換回路
６  ヘッドホンジャック
７  メモリ
８  ＨＤＤ
９  バスＳＷ（スイッチ）
１０  ＵＳＢシリーズＢコネクタ
１２  ＵＳＢシリーズＡコネクタ
１１、２３  ホストコントローラ
１３、２５  電源制御回路
１４、２６  ＡＣアダプタ
１５  バッテリ
１６、２７  電流制御回路
２０  クレードル
２１  ＵＳＢホスト回路
２２  コネクタ
２４  ハブ
２９  ＵＳＢコネクタ
１００、２０１  情報記録再生装置
【図１】
2005190101.tif 000003
【図２】
2005190101.tif 000004
【図３】
2005190101.tif 000005
【図４】
2005190101.tif 000006
【図５】
2005190101.tif 000007
【図６】
2005190101.tif 000008
【図７】
2005190101.tif 000009
【図８】
2005190101.tif 000010
【図９】
2005190101.tif 000011
【図１０】
2005190101.tif 000012
【図１１】
2005190101.tif 000013
【図１２】
2005190101.tif 000014
【図１３】
2005190101.tif 000015
【図１４】
2005190101.tif 000016
【図１５】
2005190101.tif 000017
【図１６】
2005190101.tif 000018
【図１７】
2005190101.tif 000019